(57)【要約】【課題】表示物の交換又は表示作業を容易にする。【解決手段】表示パネル１０は、方形状の背面板１１と、背面板１１の周囲４辺にそれぞれ取付けられた周辺部材１４と、一辺が背面板１１に対向するように他辺が周辺部材１４にそれぞれ枢支され他辺を回転中心として回転することにより一辺が背面板１１からそれぞれ離間可能に構成されたカバー部材１６と、背面板１１に重ねられる表示物１８の周囲にカバー部材１６の一辺が当接して表示物１８の周囲を背面板１１に押し付けるようにカバー部材１６をそれぞれ付勢するバネ部材１７とを備える。背面板１１の上縁に位置する上部カバー部材１６に当接して上部カバー部材１６の一辺と背面板１１との間を表示物１８の厚さ以下にすることを防止するストッパ２１とストッパ２１に当接した上部カバー部材１６の回転を禁止する禁止部材２２とが背面板１１の上縁に取付けられた上部周辺部材１４に設けられる。【選択図】  図１
2005345800.tif 000002
【特許請求の範囲】
【請求項１】
方形状の背面板(11)と、前記背面板(11)の周囲４辺にそれぞれ取付けられた周辺部材(14)と、一辺が前記背面板(11)に対向するように他辺が前記周辺部材(14)にそれぞれ枢支され前記他辺を回転中心として回転することにより前記一辺が前記背面板(11)からそれぞれ離間可能に構成されたカバー部材(16)と、前記背面板(11)に重ねられる表示物(18)の周囲に前記カバー部材(16)の一辺が当接して前記表示物(18)の周囲を前記背面板(11)に押し付けるように前記カバー部材(16)をそれぞれ付勢するバネ部材(17)とを備えた表示パネルにおいて、
前記背面板(11)の上縁に位置する上部カバー部材(16)に当接して前記上部カバー部材(16)の一辺と前記背面板(11)との間を前記表示物(18)の厚さ以下にすることを防止するストッパ(21)と前記ストッパ(21)に当接した前記上部カバー部材(16)の回転を禁止する禁止部材(22)とが前記背面板(11)の上縁に取付けられた上部周辺部材(14)に設けられたことを特徴とする表示パネル。
【請求項２】
前記表示物(18)が台板(18a)と表面が印刷されて裏面が前記台板(18a)上に貼り付けられた表示シート(18b)とを有する請求項１記載の表示パネル。
【請求項３】
台板(18a)が角パイプからなる格子部材(18c)と前記格子部材(18c)に重合接着されたアルミ板(18d)とを有し、前記アルミ板(18d)に表示シート(18b)が貼り付けられた請求項２記載の表示パネル。
【発明の詳細な説明】
【技術分野】
【０００１】
本発明は、比較的大きな表示物の周囲を把持することによりその表示物を表示可能に構成された表示パネルに関するものである。
【背景技術】
【０００２】
従来、方形状の表示物を表示する表示パネルにあっては、その四辺を周囲から把持するものが知られている。その具体的な構成は、方形状の背面板の周囲４辺に周辺部材が取付けられ、その周辺部材に一辺が背面板に対向するカバー部材の他辺が枢支され、その他辺を回転中心としてそのカバー部材を回転付勢するバネ部材が設けられる（例えば、特許文献１参照。）。この表示パネルでは、表示物を背面板に重ねてその表示物の周囲にカバー部材の一辺を当接させ、バネ部材によりカバー部材を付勢して表示物の周囲を背面板に押し付けることにより表示物を背面板上に表示させており、バネ部材の付勢力に抗してカバー部材を回転させることにより表示物を背面板上から取り外し可能に構成される。よって、カバー部材を回転させるだけの単純な作業で表示物を比較的容易に取り替え表示させることが可能になっている。
【特許文献１】登録実用新案第３０８３５０７号公報（実用新案登録請求の範囲）
【発明の開示】
【発明が解決しようとする課題】
【０００３】
しかし、上記従来の表示パネルでは、例えば駅のホームから線路を越えた外側に設けられてそのホームから視認可能に表示物を表示するパネル等にあっては、表示物が比較的大きいために、背面板の上縁に位置する上部カバー部材が比較的高所に位置し、表示物の取り外し又は新たな表示物の表示行為等に際して、脚立等を用いてその高所に位置する上部カバー部材を開閉しなければならず、その作業が比較的困難である不具合があった。
本発明の目的は、表示物の交換又は表示作業が比較的容易に行い得る表示パネルを提供することにある。
【課題を解決するための手段】
【０００４】
請求項１に係る発明は、図１及び図５に示すように、方形状の背面板１１と、背面板１１の周囲４辺にそれぞれ取付けられた周辺部材１４と、一辺が背面板１１に対向するように他辺が周辺部材１４にそれぞれ枢支され他辺を回転中心として回転することにより一辺が背面板１１からそれぞれ離間可能に構成されたカバー部材１６と、背面板１１に重ねられる表示物１８の周囲にカバー部材１６の一辺が当接して表示物１８の周囲を背面板１１に押し付けるようにカバー部材１６をそれぞれ付勢するバネ部材１７とを備えた表示パネルの改良である。
その特徴ある構成は、図１に詳しく示すように、背面板１１の上縁に位置する上部カバー部材１６に当接して上部カバー部材１６の一辺と背面板１１との間を表示物１８の厚さ以下にすることを防止するストッパ２１とストッパ２１に当接した上部カバー部材１６の回転を禁止する禁止部材２２とが背面板１１の上縁に取付けられた上部周辺部材１４に設けられたところにある。
【０００５】
この請求項１に記載された表示パネルでは、背面板１１の上縁に取付けられた上部周辺部材１４にストッパ２１と禁止部材２２を設け、その上部カバー部材１６の回転を禁止させるとともにその上部カバー部材１６の一辺と背面板１１との間を表示物１８の厚さ以下にすることを防止するため、上部カバー部材１６の一辺と背面板１１との間に表示物１８の上部を挿入し、背面板１１の下縁及びその側縁に取付けられた上部以外のその他のカバー部材１６により表示物１８の下縁及びその側縁を背面板１１に押し付けることによりその表示物１８を表示させることができる。従って、表示物１８が比較的大きいために背面板１１の上縁に位置する上部カバー部材１６が比較的高所に位置したとしても、表示物１８の取り外し又は新たな表示物の表示行為等に際して高所に位置する上部カバー部材１６を開閉させることを必要とせず、表示物１８の交換又は表示作業が比較的容易に行うことができる。
【０００６】
請求項２に係る発明は、請求項１に係る発明であって、図４に示すように、表示物１８が台板１８ａと表面が印刷されて裏面が台板１８ａ上に貼り付けられた表示シート１８ｂとを有する表示パネルである。
この請求項２に記載された表示パネルでは、表示シート１８ｂの表面に表示を希望する内容を印刷するので、その印刷作業が容易になり、その表示シート１８ｂの裏面を台板１８ａ上に貼り付けるので、表示シート１８ｂの表面に印刷された表示内容を平坦な状態に維持させて、その表示内容の把握を容易に行わせることができる。
【０００７】
請求項３に係る発明は、請求項２に係る発明であって、台板１８ａが角パイプからなる格子部材１８ｃと格子部材１８ｃに重合接着されたアルミ板１８ｄとを有し、アルミ板１８ｄに表示シート１８ｂが貼り付けられた表示パネルである。
この請求項３に記載された表示パネルでは、台板１８ａが格子部材１８ｃにアルミ板１８ｄを重合接着されたものであるので、その台板１８ａの重量を軽量化させることができ、表示物１８の取り扱いを容易にして、その交換又は表示作業を更に容易に行わせることが可能になる。
【発明の効果】
【０００８】
本発明の表示パネルでは、背面板の上縁に位置する上部カバー部材に当接して上部カバー部材の一辺と背面板との間を表示物の厚さ以下にすることを防止するストッパとストッパに当接した上部カバー部材の回転を禁止する禁止部材とを背面板の上縁に取付けられた上部周辺部材に設けたので、上部カバー部材の一辺と背面板との間に表示物の上部を挿入し、背面板の下縁及びその側縁に取付けられた上部以外のその他のカバー部材により表示物の下縁及びその側縁を背面板に押し付けることによりその表示物を表示させることができる。従って、表示物が比較的大きいために背面板の上縁に位置する上部カバー部材が比較的高所に位置したとしても、表示物の取り外し又は新たな表示物の表示行為等に際して高所に位置する上部カバー部材を開閉させることを必要とせず、表示物の交換又は表示作業を従来より比較的容易に行うことができる。
【０００９】
この際、表示物が台板と表面が印刷されて裏面が台板上に貼り付けられた表示シートとを有するものであれば、表示シートの表面に表示を希望する内容を印刷するので、その印刷作業が容易になり、その表示シートの裏面を台板上に貼り付けるので、表示シートの表面に印刷された表示内容を平坦な状態に維持させて、その表示内容の把握を容易に行わせることができる。そして、台板が角パイプからなる格子部材と格子部材に重合接着されたアルミ板とを有するものであれば、その台板の重量を軽量化させることができ、表示物の取り扱いを容易にして、その交換又は表示作業を更に容易に行わせることが可能になる。
【発明を実施するための最良の形態】
【００１０】
次に本発明を実施するための最良の形態を図面に基づいて説明する。
図１〜図３及び図５に示すように、表示パネル１０は、背面板１１（図１〜図２に示す）とその背面板１１の周囲４角に設けられた４個の円弧状に形成されたコーナ部材１２（図３及び図５に示す）と、背面板１１の周辺部に沿って配置される４本のフレーム部材１３（図３及び図５に示す）とを備える。背面板１１は正方形または長方形の形状を有する金属製又は木製の板であって、後述する方形状の表示物１８の単一の外形、或いは複数枚並べた外形、この実施の形態では４枚並列に並べた外形と略同一の外形に形成される（図５）。
【００１１】
図１〜図３に示すように、フレーム部材１３は周辺部材１４とカバー部材１６をそれぞれ有する。周辺部材１４はアルミニウム又は樹脂の押し出し成形品であり、背面板１１の周囲に内側部が重合してその背面板１１にリベット１５により固定される底板１４ａと、その底板１４ａの略中央に表示物１８の厚さＴと背面板１１の厚さｔの和に略等しい高さｈをもってかつ長手方向に連続してその底板１４ａと一体的に形成され背面板１１の周縁に側面が当接する位置決めリブ１４ｂと、その底板１４ａの外側端に位置決めリブ１４ｂと同一方向であってその位置決めリブ１４ｂと平行にかつ長手方向に連続してその底板１４ａと一体的に形成され先端縁に溝１４ｄが形成された外側リブ１４ｃとを備える。
【００１２】
カバー部材１６は、その一辺を背面板１１に対向させた状態でその他辺が周辺部材１４に蝶番機構によりそれぞれ枢支される。この実施の形態における蝶番機構は周辺部材１４の溝１４ｄの近傍における外側リブ１４ｃの外側に形成されたレール１４ｅと、カバー部材１６の他辺にそのレール１４ｅに対応するように形成された横長のカップ部１６ａとからなる。カバー部材１６は周辺部材１４と同様にアルミニウム又は樹脂の押し出し成形品であり、周辺部材１４を表側から覆うように断面が湾曲して形成され、一辺が背面板１１の周囲に対向した状態で他端におけるカップ部１６ａがレール１４ｅに対向するように構成される。カバー部材１６の一辺には後述する表示物１８に当接するクッション１９が先端縁に係合可能な押さえリブ１６ｂが形成される。また、カバー部材１６の周辺部材１４に対向する側の略中央には、長手方向に連続して係合リブ１６ｃが一辺側に傾斜して形成され、その係合リブ１６ｃの先端にはカップ部１６ａに向かって折曲がったフック１６ｄが形成される。
【００１３】
カバー部材１６の係合リブ先端に形成されたフック１６ｄと周辺部材１４の外側リブ１４ｃ先端に形成された溝１４ｂとの間には、バネ鋼からなるバネ部材１７が配置される。このバネ部材１７は湾曲した状態で配置され、カバー部材１６と周辺部材１４とが図１に示すように閉じるか、或いは図２に示すように開いた位置にある時に比較的平坦になり、図示しないがその中間に位置するときに著しく湾曲するように構成される。バネ部材１７は平坦なものを湾曲させて配置することから、このバネ部材１７はカバー部材１６を周辺部材１４に対して閉じた状態或いは開いた状態に維持するように付勢する。これにより、背面板１１に重ねられたポスターまたはその他の宣伝促進用の表示物１８はカバー部材１６を周辺部材１４に対して閉じるようにバネ部材１７が付勢することにより、表示物１８の周囲をしっかりと保持するように構成される。
【００１４】
図３及び図５に示すように、コーナ部材１２は、直交するフレーム部材１３の端部を覆うような円孔状に形成され、図３に詳しく示すように、直交するフレーム部材１３に突出する一対の脚部１２ａ（一方のみ示す。）が形成される。この脚部１２ａはフレーム部材１３における周辺部材１４に挿入されてねじ手段１２ｂにより取付けられ、それによりコーナ部材１２はフレーム部材１３に保持される。
図４に示すように、表示物１８は台板１８ａと表示シート１８ｂとを有し、その台板１８ａはが角パイプからなる格子部材１８ｃとその格子部材１８ｃに重合接着されたアルミ板１８ｄとを有する。表示シート１８ｂはその表面が実際に表示しようとする内容の印刷されたものであって、その裏面が台板１８ａを構成するアルミ板１８ｄに貼り付けられる。
【００１５】
図１及び図２に戻って、フレーム部材１３における周辺部材１４には取付け用の取付雄ねじ２３が貫通して設けられる。この表示パネル１０の設置場所への取付けは、この取付雄ねじ２３を介して設置を必要とする場所に略鉛直状態にして取付けられる。
【００１６】
本発明の特徴ある構成は、図１に詳しく示すように、背面板１１の上縁に取付けられた上部周辺部材１４にストッパ部材２１と禁止部材２２が設けられたところにある。ストッパ部材２１は背面板１１の上縁に位置する上部カバー部材１６に当接して上部カバー部材１６の一辺と背面板１１との間を表示物１８の厚さＴ以下にすることを防止するものであって、この実施の形態におけるストッパ部材２１は底板１４ａに貫通して取付けられた雄ねじ２１ａと、その雄ねじの先端に螺合された袋ナット２１ｂを備える。そして袋ナット２１ｂが上部カバー部材１６に直接当接して上部カバー部材１６の一辺と背面板１１との間を表示物１８の厚さＴ以下にならないように雄ねじ２１ａの長さが調整される。一方、禁止部材２２はストッパ部材２１に当接した上部カバー部材１６の回転を禁止するものであって、この実施の形態における禁止部材２２は、上部カバー部材１６が開放を禁止するようにそのカバー部材１６の上端縁に当接し、その状態で上部周辺部材１４の外側リブ１４ｃの上側に固定された断面Ｌ字状のアングルである。このアングル２２の外側リブ１４ｃへの固定はタッピングビス２４により行われる。
【００１７】
このように構成された表示パネル１０では、背面板１１の上縁に取付けられた上部周辺部材１４に禁止部材２２を設けてその上部カバー部材１６の回転を禁止するとともに、その上部周辺部材１４にストッパ２１を設けてその上部カバー部材１６の一辺と背面板１１との間を表示物１８の厚さ以下にすることを防止するため、その上部カバー部材１６を何ら回転させることなく上部カバー部材１６の一辺と背面板１１との間に表示物１８の上部を挿入させることが可能になる。
従って、本発明の表示パネル１０における表示物１８の取り外しに際しては、背面板１１の上縁に取付けられた上部カバー部材１６を回転させることなく、先ず図２の一点鎖線で示すように背面板１１の下縁及び側縁に取付けられたカバー部材１６のみを開放位置までそれぞれ回転させる。背面板１１の下縁及び側縁に取付けられたカバー部材１６を開放位置にまで回転させた後、表示物１８の下端を一点鎖線で示すように背面板１１から引き離す。そして、下端をカバー部材１６を越えて背面板１１から引き離した後、表示物１８を下方に移動させると、上部カバー部材１６の一辺と背面板１１との間から表示物１８の上部を離脱させることができ、これにより表示パネル１０から表示物１８を取り外すことができる。
【００１８】
また、本発明の表示パネル１０における表示物１８の取付けに際しては、背面板１１の上縁に取付けられた上部カバー部材１６を回転させることなく、図２の一点鎖線で示すように背面板１１の下縁及び側縁に取付けられたカバー部材１６のみを開放位置までそれぞれ回転させる。そして、上部カバー部材１６の一辺と背面板１１との間に表示物１８の上部を挿入させ、表示物１８の下端を実線矢印で示すように背面板１１に押し付ける。その状態で、背面板１１の下縁及び側縁に取付けられたカバー部材１６を実線矢印で示すように回転させて表示物１８の周囲にカバー部材１６の一辺を当接させる。そして、バネ部材１７の付勢力により表示物１８の周囲を背面板１１に押し付けるようにカバー部材１６をそれぞれ付勢させることにより表示物１８を表示することが可能になる。 
従って、表示物１８が比較的大きいものであって背面板１１の上縁に位置する上部カバー部材１６が比較的高所に位置したとしても、表示物１８の取り外し又は新たな表示物の表示行為等に際して高所に位置する上部カバー部材１６を開閉させることを必要とせず、脚立等を用いて上部カバー部材を開閉させていた従来に比較して、表示物１８の交換又は表示作業は比較的容易になる。
【図面の簡単な説明】
【００１９】
【図１】本発明実施形態の表示パネルを示す図５のＡ−Ａ線断面図である。
【図２】その表示パネルの下側カバー部材が開放された状態を示す図１に対応する断面図である。
【図３】その表示パネルの角部分における構造を示す拡大斜視図である。
【図４】その表示パネルの表示物の構造を示す分解斜視図である。
【図５】その表示パネルの正面図である。
【符号の説明】
【００２０】
１１  背面板
１４  周辺部材
１６  カバー部材
１７  バネ部材
１８  表示物
１８ａ  台板
１８ｂ  表示シート
１８ｃ  格子部材
１８ｄ  アルミ板
２１  ストッパ
２２  禁止部材
【図１】
2005345800.tif 000003
【図２】
2005345800.tif 000004
【図３】
2005345800.tif 000005
【図４】
2005345800.tif 000006
【図５】
2005345800.tif 000007